(57)【要約】  本発明に係るキーボードスイッチは、ベース台（１）と、ベース台（１）上に取り付けられる電気抵抗式圧力センサ（５）と、ベース台（１）内に設置されて電気抵抗式圧力センサ（５）を押し付けることが可能なバネ（３）と、バネ（３）を押え付けてベース台（１）に摺動可能に係合する押しキー（４）と、押しキー（４）を押え付けてベース台（１）に嵌合する上部カバー（２）とを含む。電気抵抗式圧力センサ（５）は、２つの端子（５３）及び弾性感応素子（５１）を含む。弾性感応素子内（５１）には、抵抗値が弾性感応素子（５１）に付与する圧力と比例関係にある電気抵抗式歪ゲージ（５２）が設けられる。電気抵抗式歪ゲージ（５２）から、２つのリード線（５４）が外向きに延びて形成される。２つの端子（５３）の一端は、２つの前記リード線（５４）にそれぞれ接続され、２つの端子（５３）の他端は、いずれもＰＣＢ基板（６）に接続される。本発明では、接点の変形や酸化によるキーボードスイッチの接触不良を回避するほか、キーボードスイッチの使用寿命を延ばすことができるとともに、キーボードスイッチの電流に応じてリニアな入出力を図ることができ、押しキースイッチを導通するために必要な力が小さくなり、押しキースイッチの感度及び汎用性を向上させることができる。
2018525788.tif 000002
【特許請求の範囲】
【請求項１】
キーボードスイッチであって、
ベース台と、前記ベース台上に取り付けられる電気抵抗式圧力センサと、前記ベース台内に設置されて前記電気抵抗式圧力センサを押し付けることが可能なバネと、前記バネを押え付けて前記ベース台に摺動可能に係合する押しキーと、前記押しキーを押え付けて前記ベース台に嵌合する上部カバーと、を含み、
前記電気抵抗式圧力センサは、２つの端子及び弾性感応素子を含み、
前記弾性感応素子内には、抵抗値が前記弾性感応素子に付与する圧力と比例関係にある電気抵抗式歪ゲージが設けられ、
前記電気抵抗式歪ゲージから、２つのリード線が外向きに延びて形成され、
２つの前記端子の一端は、２つの前記リード線にそれぞれ接続され、２つの前記端子の他端は、いずれもＰＣＢ基板に接続されることを特徴とするキーボードスイッチ。
【請求項２】
前記押しキーは、押しキーコアを含み、
前記押しキーコアの上方には、前記押しキーを付勢する付勢軸が設置され、
前記押しキーコアの下端には、前記バネの上端を収容可能な収容溝が設置され、
前記収容溝内には、バネ位置決め軸が設置され、
前記バネ位置決め軸の一端は、前記押しキーコアに接続され、前記バネ位置決め軸の他端は、前記バネ内に突出して前記バネを位置決めすることを特徴とする請求項１に記載のキーボードスイッチ。
【請求項３】
前記バネは、スペーサを介して前記弾性感応素子を押し付けることを特徴とする請求項１に記載のキーボードスイッチ。
【請求項４】
前記スペーサは、前記弾性感応素子に接触可能な押圧部と、前記バネ内に突出するスペーサ位置決め部とを含み、
前記押圧部及び前記スペーサ位置決め部は、いずれも円柱状に形成され、
前記押圧部は、前記バネよりも外径が大きいことを特徴とする請求項３に記載のキーボードスイッチ。
【請求項５】
前記電気抵抗式圧力センサは、前記ベース台内に位置し、
前記電気抵抗式圧力センサの２つの前記端子は、前記ベース台の底板を貫通してＰＣＢ基板に接続されることを特徴とする請求項１乃至４のいずれか一項に記載のキーボードスイッチ。
【請求項６】
前記電気抵抗式圧力センサは、前記ベース台の底板上に着脱可能に取り付けられて前記ベース台外に位置し、
前記ベース台の底板上には、前記押圧部を貫通させて前記弾性感応素子を押し付ける底板孔が前記バネに対応して設置されることを特徴とする請求項４に記載のキーボードスイッチ。
【請求項７】
前記弾性感応素子の外側は、前記弾性感応素子に対する外部からの損傷を受けないように前記弾性感応素子を保護するための一層のプラスチックフィルムで被覆されることを特徴とする請求項１に記載のキーボードスイッチ。
【請求項８】
前記弾性感応素子の前記バネに対応するキャビティには、貫通孔が開設され、
前記貫通孔の直径は、前記バネの内径以下であることを特徴とする請求項１に記載のキーボードスイッチ。
【請求項９】
固定片及び可動片をさらに含み、
前記固定片及び前記可動片は、前記ベース台内に取り付けられ、
前記可動片は、可動片本体と、前記可動片本体の頂部に沿って下向きに湾曲して延びる接触部とを含み、
前記接触部の両側のそれぞれから、押し片が延びて形成され、
前記押しキーコアから、前記押し片を押すための押しブロックが前記可動片の側壁面に向かって外向きに延びて形成されることを特徴とする請求項２に記載のキーボードスイッチ。
【請求項１０】
前記押しキーコアは、着脱可能な分割構造に形成され、前記付勢軸及び前記バネ位置決め軸を接続するためのコアプレートと、前記コアプレートに係合する受動部材とを含み、
前記収容溝は、前記コアプレートの下端内に設置され、
前記押しブロックは、前記受動部材の外側壁に設置され、
前記コアプレート及び前記受動部材は、互いに相対的に摺動可能に接続され、
前記コアプレート及び前記受動部材には、前記コアプレートと前記受動部材との脱落を防ぐための第１位置規制部及び第２位置規制部がそれぞれ係合して設置され、
前記第１位置規制部及び前記第２位置規制部は、前記押しキーコアの摺動に伴って互いに分離したり接触して押し当たったりし、
前記コアプレート上には、第１音声発生部が設置され、
前記受動部材には、前記第１音声発生部との衝突で音声を発生する第２音声発生部が設置され、
前記第１音声発生部及び前記第２音声発生部は、前記押しキーコアの下方への押圧摺動に伴って互いに衝突して押し当たり、前記押しキーコアの上方への復帰に伴って互いに分離することを特徴とする請求項９に記載のキーボードスイッチ。
【発明の詳細な説明】
【技術分野】
【０００１】
本発明は、キーボードの分野に関し、特に、キーボードスイッチに関する。
【背景技術】
【０００２】
コンピュータの発展に伴い、コンピュータソフトウェアがアップグレードを続けたり世代が進んだりしており、人々がコンピュータゲームで楽しむこともコンピュータの利用に不可欠な項目となってきている。現在、多くのコンピュータゲームでは、コンピュータユーザが文字を入力したりゲームを行ったりするときの滑らかさや素早さといった打鍵感を追求するために、メカニカルキーボードを用いるのが殆どである。このため、メカニカルスイッチキーボードは、コンピュータゲームプレイヤーにとって好適なキーボードである。しかしながら、従来のメカニカルスイッチでは、２つの電極が金属接点によって摩擦接触して、抵抗性の電流通電方式となる。使用時には金属接点が繰り返し摩擦接触する必要があるため、このようなメカニカルスイッチは接点の変形や酸化によって接触不良を生じ、１つの接点の不良によってキーボードの故障を招くことになる。また、このようなメカニカルスイッチは電源のオンオフを図ることができるが、コンピュータゲームにおけるキャラクターや物の移動速度を調整することができず、汎用性が不十分である。
【発明の概要】
【発明が解決しようとする課題】
【０００３】
本発明の目的は、上記問題を解決するためのキーボードスイッチを提供することである。
【課題を解決するための手段】
【０００４】
上記目的を達成するために、本発明の一実施形態に係るキーボードスイッチは、ベース台と、前記ベース台上に取り付けられる電気抵抗式圧力センサと、前記ベース台内に設置されて前記電気抵抗式圧力センサを押し付けることが可能なバネと、前記バネを押え付けて前記ベース台に摺動可能に係合する押しキーと、前記押しキーを押え付けて前記ベース台に嵌合する上部カバーと、を含む。前記電気抵抗式圧力センサは、２つの端子及び弾性感応素子を含む。前記弾性感応素子内には、抵抗値が前記弾性感応素子に付与する圧力と比例関係にある電気抵抗式歪ゲージが設けられる。前記電気抵抗式歪ゲージから、２つのリード線が外向きに延びて形成される。２つの前記端子の一端は、２つの前記リード線にそれぞれ接続され、２つの前記端子の他端は、いずれもＰＣＢ基板に接続される。
【０００５】
好ましくは、前記電気抵抗式歪ゲージは、抵抗線歪ゲージ又は箔歪ゲージである。
【０００６】
さらに、前記電気抵抗式歪ゲージは抵抗線歪ゲージである。
【０００７】
さらに、前記電気抵抗式歪ゲージは、銀線から製造される。前記銀線は、印刷により前記弾性感応素子内に固定される。
【０００８】
一実施形態では、前記押しキーは、押しキーコアを含む。前記押しキーコアの上方には、前記押しキーを付勢する付勢軸が設置される。前記押しキーコアの下端には、前記バネの上端を収容可能な収容溝が設置される。前記収容溝内には、バネ位置決め軸が設置される。前記バネ位置決め軸の一端は、前記押しキーコアに接続され、前記バネ位置決め軸の他端は、前記バネ内に突出して前記バネを位置決めする。
【０００９】
好ましくは、前記付勢軸は十字柱状に形成される。
【００１０】
一実施形態では、前記バネは、スペーサを介して前記弾性感応素子を押し付ける。
【００１１】
バネがスペーサを介して弾性感応素子を押し付けることで、弾性感応素子の受圧面を増やして弾性感応素子の単位面積当たりに受ける圧力を低減し、その結果、電気抵抗式圧力センサが圧潰しされにくくなり、弾性感応素子の使用寿命を延ばすことができる。
【００１２】
一実施形態では、前記スペーサは、前記弾性感応素子に接触可能な押圧部と、前記バネ内に突出するスペーサ位置決め部とを含む。前記押圧部及び前記スペーサ位置決め部は、いずれも円柱状に形成される。前記押圧部は、前記バネよりも外径が大きい。
【００１３】
具体的には、以下の２通りの方法でスペーサへの力の付与を実現する。第１の方法は、バネを介してスペーサに力を伝達し、すなわち、押しキーの付勢軸に圧力を付与する場合、押しキーのバネ位置決め軸をスペーサのバネ位置決め軸に常に接触させないようにするものである。第２の方法は、押しキーを介してスペーサを付勢し、すなわち、押しキーの付勢軸に圧力を付与する場合、押しキーによりバネを圧縮させた後に押しキーのバネ位置決め軸がスペーサのバネ位置決め軸を直接押し付けるようにするものである。
【００１４】
一実施形態では、前記電気抵抗式圧力センサは、前記ベース台内に位置する。前記電気抵抗式圧力センサの２つの前記端子は、前記ベース台の底板を貫通してＰＣＢ基板に接続される。
【００１５】
一実施形態では、前記電気抵抗式圧力センサは、前記ベース台の底板上に着脱可能に取り付けられて前記ベース台外に位置する。前記ベース台の底板上には、前記押圧部を貫通させて前記弾性感応素子を押し付ける底板孔が前記バネに対応して設置される。
【００１６】
電気抵抗式圧力センサをベース台外に着脱可能に取り付けることで、電気抵抗式圧力センサが何らかの原因により正常に動作できない場合、作業員が電気抵抗式圧力センサを容易かつ速やかに交換することができる。
【００１７】
好ましくは、前記スペーサがベース台内から抜けないようにするために、前記押圧部の前記スペーサ位置決め部に近接する一端には、前記底板孔よりも外径が大きい軸肩部が設置される。
【００１８】
一実施形態では、前記弾性感応素子の外側は、前記弾性感応素子に対する外部からの損傷を受けないように前記弾性感応素子を保護するための一層のプラスチックフィルムで被覆される。
【００１９】
一実施形態では、前記弾性感応素子の前記バネに対応するキャビティには、貫通孔が開設される。前記貫通孔の直径は、前記バネの内径以下である。
【００２０】
弾性感応素子のバネに対応するキャビティに貫通孔を開設することで、バネが弾性感応素子を押し付けることができるほか、弾性感応素子の作製材料を低減して弾性感応素子の製作コストを大幅に削減することができる。
【００２１】
一実施形態では、前記弾性感応素子内における電気抵抗式歪ゲージは、前記貫通孔の周縁に均一に設置される。
【００２２】
弾性感応素子内における電気抵抗式歪ゲージを貫通孔の周縁に均一に設置することで、バネが電気抵抗式歪ゲージを可及的に押し付けることができ、その結果、弾性感応素子が自身に付与される圧力の変化をよく感知することができる。
【００２３】
一実施形態では、キーボードスイッチは、固定片及び可動片をさらに含む。前記固定片及び前記可動片は、前記ベース台内に取り付けられる。前記可動片は、可動片本体と、前記可動片本体の頂部に沿って下向きに湾曲して延びる接触部とを含む。前記接触部の両側のそれぞれから、押し片が延びて形成される。前記押しキーコアから、前記押し片を押すための押しブロックが前記可動片の側壁面に向かって外向きに延びて形成される。
【００２４】
一実施形態では、前記押しキーコアは、着脱可能な分割構造に形成され、前記付勢軸及び前記バネ位置決め軸を接続するためのコアプレートと、前記コアプレートに係合する受動部材とを含む。前記収容溝は、前記コアプレートの下端内に設置される。前記押しブロックは、前記受動部材の外側壁に設置される。前記コアプレート及び前記受動部材は、互いに相対的に摺動可能に接続される。前記コアプレート及び前記受動部材には、前記コアプレートと前記受動部材との脱落を防ぐための第１位置規制部及び第２位置規制部がそれぞれ係合して設置される。前記第１位置規制部及び前記第２位置規制部は、前記押しキーコアの摺動に伴って互いに分離したり接触して押し当たったりする。前記コアプレート上には、第１音声発生部が設置される。前記受動部材には、前記第１音声発生部との衝突で音声を発生する第２音声発生部が設置される。前記第１音声発生部及び前記第２音声発生部は、前記押しキーコアの下方への押圧摺動に伴って互いに衝突して押し当たり、前記押しキーコアの上方への復帰に伴って互いに分離する。
【００２５】
具体的には、付勢軸に作用力を付与して押しキーコアを下向きに押圧すると、コアプレートの第１音声発生部及び受動部材の第２音声発生部は、押しキーコアの下方への押圧摺動に伴って互いに衝突して音声を発生する。このように、ユーザはキーボードを押すと音声を発生することが可能である。こうすることで、ユーザが操作時に優れた打鍵感を得ることができとともに、ユーザが自ら操作する時の打鍵状態を明確に感知することができる。
【００２６】
さらに、前記受動部材の中間には、前記受動部材の上下端面を貫通する収容室が設けられる。前記第２位置規制部は、前記収容室の内壁に設置される。前記受動部材の下端は、前記収容室内に突出する。前記第１位置規制部は、前記第２位置規制部の下方に位置する。前記受動部材の下端から、弾性アームが下向きに延びて形成される。前記第１位置規制部は、弾性アームの自由端から湾曲して延びるように形成される。前記第１音声発生部は、受動部材の上方に位置し、前記第２音声発生部は、前記受動部材の頂部に設置される。
【発明の効果】
【００２７】
本発明は以下の顕著な効果を奏する。
電気抵抗式歪ゲージは１つの電気抵抗であり、静的条件下で電気抵抗式歪ゲージの電気抵抗が大きいため、２つのリード線における電流が小さい。この状態ではキーボードスイッチを導通することができない。弾性感応素子の有効面積に圧力を付与した後、電気抵抗式歪ゲージの電気抵抗が圧力の増加に伴って減少する。また、電気抵抗式歪ゲージの電気抵抗がある程度まで減少すると、それに伴って、キーボードスイッチを導通するようになる。さらに、電気抵抗式歪ゲージの抵抗値の減少に伴って、キーボードスイッチの電流も増加する。これにより、ゲームプレイヤーはキーボードスイッチを適切に押圧することでコンピュータゲームにおけるキャラクターや物の移動速度を調整することができる。従来技術に比べて、本発明は、接点の変形や酸化によるキーボードスイッチの接触不良を回避するほか、キーボードスイッチの使用寿命を延ばすことができるとともに、キーボードスイッチの電流に応じてリニアな入出力を図ることができ、押しキースイッチを導通するために必要な力が小さくなり、押しキースイッチの感度及び汎用性を向上させることができる。
【図面の簡単な説明】
【００２８】
【図１】本発明の第１実施形態に係るキーボードスイッチを示す断面図である。
【図２】本発明の第１実施形態に係るキーボードスイッチを示す分解斜視図である。
【図３】本発明の第２実施形態に係るキーボードスイッチを示す断面図である。
【図４】本発明の第２実施形態に係るキーボードスイッチを示す分解斜視図である。
【図５】本発明の第３実施形態に係るキーボードスイッチを示す断面図である。
【図６】本発明の第３実施形態に係るキーボードスイッチを示す分解斜視図である。
【図７】本発明の第６実施形態に係るキーボードスイッチを示す分解斜視図である。
【図８】本発明の第７実施形態に係るキーボードスイッチを示す分解斜視図である。
【発明を実施するための形態】
【００２９】
以下、本発明の技術内容について、図面及び具体的な実施形態を参照しながら説明する。
【００３０】
（第１実施形態）
図１及び図２に示すように、本実施形態に係るキーボードスイッチは、ベース台１と、ベース台１上に取り付けられる電気抵抗式圧力センサ５と、ベース台１内に設置されて電気抵抗式圧力センサ５を押し付けることが可能なバネ３と、バネ３を押え付けてベース台１に摺動可能に係合する押しキー４と、押しキー４を押え付けてベース台１に嵌合する上部カバー２と、を含む。電気抵抗式圧力センサ５は、２つの端子５３及び弾性感応素子５１を含む。弾性感応素子５１内には、抵抗値が弾性感応素子５１に付与する圧力と比例関係にある電気抵抗式歪ゲージ５２が設けられる。電気抵抗式歪ゲージ５２から、２つのリード線５４が外向きに延びて形成される。２つの端子５３の一端は、２つのリード線５４にそれぞれ接続され、２つの端子５３の他端は、いずれもＰＣＢ基板６に接続される。
【００３１】
具体的には、電気抵抗式歪ゲージ５２は１つの電気抵抗であり、静的条件下で電気抵抗式歪ゲージ５２の電気抵抗が大きいため、２つのリード線５４における電流が小さい。この状態ではキーボードスイッチを導通することができない。弾性感応素子５１の有効面積に圧力を付与した後、電気抵抗式歪ゲージ５２の電気抵抗が圧力の増加に伴って減少する。また、電気抵抗式歪ゲージ５２の電気抵抗がある程度まで減少すると、それに伴って、キーボードスイッチを導通するようになる。さらに、電気抵抗式歪ゲージ５２の抵抗値の減少に伴って、キーボードスイッチの電流も増加する。これにより、ゲームプレイヤーはキーボードスイッチを適切に押圧することでコンピュータゲームにおけるキャラクターや物の移動速度を調整することができる。本発明では、接点の変形や酸化によるキーボードスイッチの接触不良を回避するほか、キーボードスイッチの使用寿命を延ばすことができるとともに、キーボードスイッチの電流に応じてリニアな入出力を図ることができ、押しキースイッチを導通するために必要な力が小さくなり、押しキースイッチの感度及び汎用性を向上させることができる。
【００３２】
押しキー４は、押しキーコア４１を含む。押しキーコア４１の上方には、押しキー４を付勢する付勢軸４２が設置される。押しキーコア４１の下端には、バネ３の上端を収容可能な収容溝が設置される。収容溝内には、バネ位置決め軸４３が設置される。バネ位置決め軸４３の一端は、押しキーコア４１に接続され、バネ位置決め軸４３の他端は、バネ３内に突出してバネ３を位置決めする。
【００３３】
好ましくは、付勢軸４２は十字柱状に形成される。
【００３４】
本実施形態では、電気抵抗式圧力センサ５は、ベース台１内に位置する。電気抵抗式圧力センサ５の２つの端子５３は、ベース台１の底板を貫通してＰＣＢ基板６に接続される。
【００３５】
電気抵抗式歪ゲージ５２は、抵抗線歪ゲージ又は箔歪ゲージである。本実施形態では、電気抵抗式歪ゲージ５２が抵抗線歪ゲージである。
【００３６】
好ましくは、電気抵抗式歪ゲージ５２は、銀線から製造される。なお、銀線は、印刷により弾性感応素子５１内に固定される。
【００３７】
（第２実施形態）
図３及び図４に示すように、本実施形態は、バネ３が電気抵抗式歪ゲージ５２を直接押し付けず、スペーサ７を介して弾性感応素子５１を押し付ける点で第１実施形態と異なっている。
【００３８】
バネ３がスペーサ７を介して弾性感応素子５１を押し付けることで、弾性感応素子５１の受圧面を増やして弾性感応素子５１の単位面積当たりに受ける圧力を低減し、その結果、電気抵抗式圧力センサ５が圧潰しされにくくなり、弾性感応素子５１の使用寿命を延ばすことができる。
【００３９】
スペーサ７は、弾性感応素子５１に接触可能な押圧部７１と、バネ３内に突出するスペーサ位置決め部７２とを含む。押圧部７１及びスペーサ位置決め部７２は、いずれも円柱状に形成される。押圧部７１は、バネ３よりも外径が大きい。
【００４０】
本実施形態では、以下の２通りの方法でスペーサ７への力の付与を実現する。第１の方法は、バネ３を介してスペーサ７に力を伝達し、すなわち、押しキー４の付勢軸４２に圧力を付与する場合、押しキー４のバネ位置決め軸４３をスペーサ７のバネ位置決め軸４３に常に接触させないようにするものである。第２の方法は、押しキー４を介してスペーサ７を付勢し、すなわち、押しキー４の付勢軸４２に圧力を付与する場合、押しキー４によりバネ３を圧縮させた後に押しキー４のバネ位置決め軸４３がスペーサ７のバネ位置決め軸４３を直接押し付けるようにするものである。
【００４１】
（第３実施形態）
図５及び図６に示すように、本実施形態は、電気抵抗式圧力センサ５がベース台１の底板上に着脱可能に取り付けられてベース台１外に位置する点と、押圧部７１を貫通させて弾性感応素子５１を押し付ける底板孔１１がバネ３に対応してベース台１の底板上に設置される点とで第２実施形態と異なっている。
【００４２】
電気抵抗式圧力センサ５をベース台１外に着脱可能に取り付けることで、電気抵抗式圧力センサ５が何らかの原因により正常に動作できない場合、作業員が電気抵抗式圧力センサ５を容易かつ速やかに交換することができる。
【００４３】
スペーサ７がベース台１内から抜けないようにするために、押圧部７１のスペーサ位置決め部７２に近接する一端には、底板孔１１よりも外径が大きい軸肩部７３が設置される。
【００４４】
（第４実施形態）
本実施形態は、弾性感応素子５１の外側が、弾性感応素子５１に対する外部からの損傷を受けないように弾性感応素子５１を保護するための一層のプラスチックフィルムで被覆される点で第１実施形態と異なっている。プラスチックフィルムは、電子製品を保護するための保護フィルムである。当然ながら、本実施形態の弾性感応素子５１を保護するための保護フィルムは、プラスチックフィルムに限定されず、当業者が用いる、弾性感応素子５１を保護するための他の保護フィルムであってもよい。
【００４５】
（第５実施形態）
本実施形態は、弾性感応素子５１のバネ３に対応するキャビティに、直径がバネ３の内径以下である貫通孔が開設される点で第１実施形態と異なっている。
【００４６】
弾性感応素子５１のバネ３に対応するキャビティに貫通孔を開設することで、バネ３が弾性感応素子５１を押し付けることができるほか、弾性感応素子５１の作製材料を低減して弾性感応素子５１の製作コストを大幅に削減することができる。
【００４７】
弾性感応素子５１内における電気抵抗式歪ゲージ５２は、貫通孔の周縁に均一に設置される。
【００４８】
弾性感応素子５１内における電気抵抗式歪ゲージ５２を貫通孔の周縁に均一に設置することで、バネ３が電気抵抗式歪ゲージ５２を可及的に押し付けることができ、その結果、弾性感応素子５１が自身に付与される圧力の変化をより良く感知することができる。
【００４９】
（第６実施形態）
図７に示すように、本実施形態は、固定片９及び可動片８をさらに含む点で第１実施形態と異なっている。固定片９及び可動片８は、ベース台１内に取り付けられる。可動片８は、可動片本体８１と、可動片本体８１の頂部に沿って下向きに湾曲して延びる接触部８２とを含む。接触部８２の両側のそれぞれから、押し片８３が延びて形成される。押しキーコア４１から、押し片８３を押すための押しブロック４４が可動片８の側壁面に向かって外向きに延びて形成される。可動片８及び固定片９の設置により、キーボード押しキーの打鍵感をある程度向上させることができる。
【００５０】
本実施形態では、押しキーコア４１は、打音を生じない一体構造である。
【００５１】
（第７実施形態）
図８に示すように、本実施形態は、押しキーコア４１が着脱可能な分割構造に形成される点で第６実施形態と異なっている。押しキーコア４１は、付勢軸４２及びバネ位置決め軸４３を接続するためのコアプレート４１１と、コアプレート４１１に係合する受動部材４１２とを含む。収容溝は、コアプレート４１１の下端内に設置される。押しブロック４４は、受動部材４１２の外側壁に設置される。コアプレート４１１及び受動部材４１２は、互いに相対的に摺動可能に接続される。コアプレート４１１及び受動部材４１２には、コアプレート４１１と受動部材４１２との脱落を防ぐための第１位置規制部４１１１及び第２位置規制部４１２１がそれぞれ係合して設置される。第１位置規制部４１１１及び第２位置規制部４１２１は、押しキーコア４１の摺動に伴って互いに分離したり接触して押し当たったりする。コアプレート４１１上には、第１音声発生部４１１２が設置される。受動部材４１２には、第１音声発生部４１１２との衝突で音声を発生する第２音声発生部４１２２が設置される。第１音声発生部４１１２及び第２音声発生部４１２２は、押しキーコア４１の下方への押圧摺動に伴って互いに衝突して押し当たり、押しキーコア４１の上方への復帰に伴って互いに分離する。
【００５２】
受動部材４１２の中間には、受動部材４１２の上下端面を貫通する収容室が設けられる。第２位置規制部４１２１は、収容室の内壁に設置される。受動部材４１２の下端は、収容室内に突出する。第１位置規制部４１１１は、第２位置規制部４１２１の下方に位置する。受動部材４１２の下端から、弾性アーム４１１３が下向きに延びて形成される。第１位置規制部４１１１は、弾性アーム４１１３の自由端から湾曲して延びるように形成される。第１音声発生部４１１２は、受動部材４１２の上方に位置し、第２音声発生部４１２２は、受動部材４１２の頂部に設置される。
【００５３】
具体的には、付勢軸４２に作用力を付与して押しキーコア４１を下向きに押圧すると、コアプレート４１１の第１音声発生部４１１２及び受動部材４１２の第２音声発生部４１２２は、押しキーコア４１の下方への押圧摺動に伴って互いに衝突して音声を発生する。このように、ユーザはキーボードを打鍵すると音声を発生することが可能である。こうすることで、ユーザが操作時に優れた打鍵感を得ることができとともに、ユーザが自ら操作する時の打鍵状態を明確に感知することができる。
【００５４】
以上、具体的な実施例を用いて本発明の技術原理について説明した。これらは本発明の原理を解釈するための説明に過ぎず、いかなる方式も本発明の保護範囲を制限するものではない。この解釈に基づいて、当業者は創造的労働を果たさずに本発明の他の具体的な実施形態を想到した場合、このような形態は本発明の保護範囲内に属するべきである。
【符号の説明】
【００５５】
１  ベース台
１１  底板孔
２  上部カバー
３  バネ
４  押しキー
４１  押しキーコア
４１１  コアプレート
４１１１ 第１位置規制部
４１１２ 第１音声発生部
４１１３ 弾性アーム
４１２  受動部材
４１２１ 第２位置規制部
４１２２ 第２音声発生部
４２  付勢軸
４３  バネ位置決め軸
４４  押しブロック
５  電気抵抗式圧力センサ
５１  弾性感応素子
５２  電気抵抗式歪ゲージ
５３  端子
５４  リード線
６  ＰＣＢ基板
７  スペーサ
７１  押圧部
７２  スペーサ位置決め部
７３  軸肩部
８  可動片
８１  可動片本体
８２  接触部
８３  押し片
９  固定片
【図１】
2018525788.tif 000003
【図２】
2018525788.tif 000004
【図３】
2018525788.tif 000005
【図４】
2018525788.tif 000006
【図５】
2018525788.tif 000007
【図６】
2018525788.tif 000008
【図７】
2018525788.tif 000009
【図８】
2018525788.tif 000010
【国際調査報告】
2018525788.tif 000011
2018525788.tif 000012
2018525788.tif 000013
2018525788.tif 000014